(57)【要約】【課題】容易に合鍵が作成されにくく、セキュリティーが高い出金装置を提供する。【解決手段】出金装置は、硬貨を格納する格納部と、格納部を収納する本体部と、出金される硬貨を受ける受け皿と、受け皿に設けられる受け皿センサと、格納部が本体部から露出されることを規制する施錠部と、受け皿センサの出力に基づいて受け皿に施錠部の開錠を許可する鍵体が置かれたと判定した場合、施錠部を開錠する制御部と、を備える。排出部が排出した不良硬貨を受ける排出皿と、排出皿に設けられる排出皿センサと、をさらに備え、制御部は、受け皿センサの出力又は排出皿センサの出力に基づいて受け皿又は排出皿に鍵体が置かれたと判定した場合、前記施錠部を開錠するように構成することもできる。【選択図】図３
2015026240.tif 000002
【特許請求の範囲】
【請求項１】
硬貨を格納する格納部と、
前記格納部を収納する本体部と、
出金される硬貨を受ける受け皿と、
前記受け皿に設けられる受け皿センサと、
前記格納部が前記本体部から露出されることを規制する施錠部と、
前記受け皿センサの出力に基づいて前記受け皿に前記施錠部の開錠を許可する鍵体が置かれたと判定した場合、前記施錠部を開錠する制御部と、
を備える出金装置。
【請求項２】
硬貨を投入する投入孔と、
投入された硬貨の中から不良硬貨を排出する排出部と、
排出部が排出した不良硬貨を受ける排出皿と、
前記排出皿に設けられる排出皿センサと、
をさらに備え、
前記制御部は、
前記受け皿センサの出力又は前記排出皿センサの出力に基づいて前記受け皿又は前記排出皿に前記施錠部の開錠を許可する鍵体が置かれたと判定した場合、前記施錠部を開錠する請求項１記載の出金装置。
【請求項３】
第１の閾値を格納する記憶部をさらに備え、
前記制御部は、
前記受け皿センサの出力又は前記排出皿センサの出力が前記第１の閾値を超えたと判定した場合、前記鍵体が前記受け皿又は前記排出皿に置かれたと判定する請求項２記載の出金装置。
【請求項４】
前記記憶部は、
前記第１の閾値より大きい第２の閾値をさらに格納し、
前記制御部は、
前記受け皿センサの出力又は前記排出皿センサの出力が前記第１の閾値を超え、前記第２の閾値を下回ったと判定した場合、前記鍵体が前記受け皿又は前記排出皿に置かれたと判定する請求項３記載の出金装置。
【請求項５】
前記第１の閾値と前記第２の閾値は、
通常の硬貨を検知した場合の前記受け皿センサの出力又は前記排出皿センサの出力が前記第１の閾値と前記第２の閾値の間に入らないように定められる請求項４記載の出金装置。
【請求項６】
前記制御部は、
硬貨詰まりを検知し、かつ、前記受け皿センサの出力又は前記排出皿センサの出力が前記第１の閾値を超え、前記第２の閾値を下回ったと判定することにより前記鍵体が前記受け皿又は前記排出皿に置かれたと判定した場合、前記施錠部を開錠する請求項５記載の出金装置。
【発明の詳細な説明】
【技術分野】
【０００１】
本発明の実施形態は、出金装置に関する。
【背景技術】
【０００２】
ＰＯＳ（Ｐｏｉｎｔ  ｏｆ  ｓａｌｅｓ）端末などの販売情報登録処理装置には入出金装置が併せて使用されることが多い。
【０００３】
入出金装置は、販売情報登録処理装置からの出金コマンドに基づいて硬貨を出金するとともに、投入された硬貨を金種別に格納する。従って、入出金装置の内部には多額の現金が格納されている。
【０００４】
従来の入出金装置は、内部からの金銭の抜き取りを規制するために通常の鍵によって施錠をしていた。
【０００５】
しかし、通常の鍵は合鍵が作成されやすく、防犯の面でセキュリティーが低かった。
【先行技術文献】
【特許文献】
【０００６】
【特許文献１】特開２０１１−６５４２７号公報
【発明の概要】
【発明が解決しようとする課題】
【０００７】
従って、容易に合鍵が作成されにくく、セキュリティーが高い出金装置が求められている。
【課題を解決するための手段】
【０００８】
上記の課題を解決するために、本発明の一実施形態は、硬貨を格納する格納部と、格納部を収納する本体部と、出金される硬貨を受ける受け皿と、受け皿に設けられる受け皿センサと、格納部が本体部から露出されることを規制する施錠部と、受け皿センサの出力に基づいて受け皿に施錠部の開錠を許可する鍵体が置かれたと判定した場合、施錠部を開錠する制御部と、を備える出金装置を提供する。
【図面の簡単な説明】
【０００９】
【図１】入出金装置の外観斜視図である。
【図２】本体部から入出金機構を露出させた様子を示す図である。
【図３】入出金装置の図１におけるＡＡ線断面図である。
【図４】入出金装置の図１におけるＢＢ線断面図のうち施錠部付近を示した図である。
【図５】入出金装置の構成を示すブロック図である。
【図６】受け皿センサ及び排出皿センサが鍵体を検知した場合の電圧値を示す図である。
【発明を実施するための形態】
【００１０】
以下、出金装置の一実施形態について、図面を用いて詳細に説明する。
【００１１】
本実施形態の出金装置は、硬貨を格納する格納部と、格納部を収納する本体部と、出金される硬貨を受ける受け皿と、受け皿に設けられる受け皿センサと、格納部が本体部から露出されることを規制する施錠部と、受け皿センサの出力に基づいて受け皿に施錠部の開錠を許可する鍵体が置かれたと判定した場合、施錠部を開錠する制御部と、を備える。
【００１２】
図１は、本実施形態に係る入出金装置１の外観斜視図である。図１に示すように、入出金装置１は、硬貨を入出金する入出金機構２５を格納する本体部１１と、入金される硬貨を投入する投入孔２２、出金される硬貨を受ける受け皿２３、及び排出される硬貨を受ける排出皿２４を有するフロント部１２と、を備える。
【００１３】
本体部１１に格納される入出金機構２５は、不良硬貨を排出する排出部と、硬貨を金種ごとに選り分ける選別部と、選別された硬貨を金種ごとに格納する格納部と、を備える。
【００１４】
排出部は、硬貨搬送路に設けられた磁気センサによって不良硬貨を検知し、硬貨搬送路に設けられる排出口のシャッタを開けることにより不良硬貨を取り出す。さらに、排出部は不良硬貨をベルトコンベアによって不良硬貨を排出皿２４に搬送する。
【００１５】
選別部は、硬貨を硬貨の大きさに合わせた切り欠きを有する硬貨選別板の上を搬送させることにより金種ごとに格納部に落下させる。
【００１６】
格納部は、金種ごとに硬貨を格納する格納室を有し、落下してきた硬貨を格納室に格納する。
【００１７】
硬貨は硬貨搬送路を無端状のベルトによって一定速度にて搬送される。入出金装置１は硬貨搬送路に硬貨の通過を検知する複数のセンサを有する。入出金装置１は、あるセンサが硬貨の通過を検知してから次のセンサが硬貨を検知するまでの時間を計測し、計測した時間が閾値を超えた場合、硬貨詰まりが発生したと判定する。
【００１８】
入出金装置１はさらに、本体部から入出金機構２５を露出させることを規制する施錠部２１を備える。
【００１９】
図２は、本体部から入出金機構２５を露出させた様子を示す図である。図２に示すように、施錠部２１を開錠し、フロント部１２を手前側に引き出すと入出金機構２５が露出する。
【００２０】
図３は、入出金装置１の図１におけるＡＡ線断面図である。図３に示すように、入出金装置１は、受け皿２３の底部に硬貨の存在を検知する受け皿センサ３１と、排出皿２４の底部に硬貨の存在を検知する排出皿センサ３３と、を備える。
【００２１】
受け皿センサ３１は受け皿センサ基板３２に設置される。受け皿センサ３１は、例えば磁気センサを用いることができる。
【００２２】
排出皿センサ３３は排出皿センサ基板３４に設置される。排出皿センサ３３は、例えば磁気センサを用いることができる。
【００２３】
磁気センサは、内部にコイルを備え、磁気センサに近づいた物の磁気的性質を電圧に変換して出力する。
【００２４】
従って、入出金装置１は、受け皿センサ３１及び排出皿センサ３３の出力に基づいて受け皿２３又は排出皿２４に硬貨が存在するか否かを検知することができる。
【００２５】
図４は、入出金装置１の図１におけるＢＢ線断面図のうち施錠部２１付近を示した図である。図４に示すように、フロント部１２の前面底部に設けられる施錠部２１はカンヌキ４４を出し入れするソレノイド４３を有する。
【００２６】
ソレノイド４３は、通電方向を変えるとカンヌキ４４を矢印Ｘの方向に出し入れする。
【００２７】
本体部１１は、カンヌキ４４に対応する位置に嵌合孔４２を有する。カンヌキ４４は突出した場合、この嵌合孔４２に嵌合することにより、本体部１１からフロント部１２が引き抜かれて入出金機構２５が露出することを規制する。
【００２８】
図５は、入出金装置１の構成を示すブロック図である。図５に示すように、入出金装置１は、演算装置であるＣＰＵ（Ｃｅｎｔｒａｌ  ｐｒｏｃｅｓｓｉｎｇ  ｕｎｉｔ）を含む制御部２０１と、メモリ等の記憶装置を含む記憶部２０２と、情報通信を行う通信部２０３と、施錠部２１と、センサ２０４と、を備える。
【００２９】
センサ２０４は、受け皿センサ３１及び排出皿センサ３３を含む。
【００３０】
記憶部２０２は、受け皿センサ３１及び排出皿センサ３３が出力する電圧に関する第１の閾値と、第１の閾値より大きい第２の閾値とを格納する。
【００３１】
第１の閾値と第２の閾値は、通常の硬貨を受け皿センサ３１及び排出皿センサ３３が検知した場合の出力電圧がこの第１の閾値と第２の閾値の間に入らないように設定される。
【００３２】
図６は、受け皿センサ３１及び排出皿センサ３３が鍵体Ｂを検知した場合の電圧値を示す図である。図６に示すように、鍵体Ｂは受け皿センサ３１及び排出皿センサ３３の出力電圧が第１の閾値と第２の閾値の間になるように磁気特性が調整される。
【００３３】
例えば、通常の硬貨Ａは受け皿センサ３１及び排出皿センサ３３が出力する電圧が第１の閾値より小さく、硬貨以外の物Ｃは受け皿センサ３１及び排出皿センサ３３が出力する電圧が第２の閾値より大きくなるように、第１の閾値と第２の閾値は設定される。
【００３４】
鍵体は、例えば鉄の合金、磁性体のセラミックスなどを用いることができる。鍵体の形状は問わない。
【００３５】
入出金装置１は、受け皿センサ３１及び排出皿センサ３３が出力する電圧が第１の閾値と第２の閾値の間にあると判定した場合、受け皿２３又は排出皿２４に鍵体が置かれたと判定する。
【００３６】
入出金装置１は、受け皿２３又は排出皿２４に施錠部２１の開錠を許可する鍵体が置かれたと判定した場合、施錠部２１を開錠する。
【００３７】
また、入出金装置１が施錠部２１を開錠する条件をさらに付加することも可能である。例えば、入出金装置１は硬貨詰まりが発生したと判定した場合、かつ、受け皿２３又は排出皿２４に施錠部２１の開錠を許可する鍵体が置かれたと判定した場合に施錠部２１を開錠するように構成することができる。
【００３８】
このように、会場の条件を付加することにより、よりセキュリティーを高めることが可能となる。
【００３９】
以上述べたように、本実施形態の入出金装置１は、硬貨を格納する格納部と、格納部を収納する本体部１１と、出金される硬貨を受ける受け皿２３と、受け皿２３に設けられる受け皿センサ３１と、格納部が本体部から露出されることを規制する施錠部２１と、受け皿センサ３１の出力に基づいて受け皿２３に施錠部２１の開錠を許可する鍵体が置かれたと判定した場合、施錠部２１を開錠する制御部と、を備える。
【００４０】
従って、容易に合鍵が作成されにくく、セキュリティーを高めることが可能となるという効果がある。
【００４１】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４２】
１：入出金装置
２３：受け皿
２４：排出皿
３１：受け皿センサ
３３：排出皿センサ
【図１】
2015026240.tif 000003
【図２】
2015026240.tif 000004
【図３】
2015026240.tif 000005
【図４】
2015026240.tif 000006
【図５】
2015026240.tif 000007
【図６】
2015026240.tif 000008